(57)【要約】  本開示は、タバコ産業製品のパック用の内フレームブランク（１）に関する。内フレームブランク（１）は、タバコ産業製品の組を保持する内フレームを形成するために折り曲げ可能である。内フレームブランク（１）は、内フレームの互いに対向する側面を形成するために第１及び第２の主パネルが中央パネルに対して折り曲げ可能であるように中央パネル（４）の互いに対向する縁部に結合されている、第１の主パネル及び第２の主パネルを有する。内フレームブランクはまた、内フレームブランクが折り曲げられて内フレームを形成するときに、内フレームの中からタバコ産業製品を取り出すための抜き取り開口部を画定する開口（７）を少なくとも中央パネル（４）に有する。【選択図】  図２
2020505278.tif 000002
【特許請求の範囲】
【請求項１】
タバコ産業製品の組を保持する内フレームを形成するために折り曲げ可能である、タバコ産業製品のパック用の内フレームブランクであって、
第１の主パネルと、第２の主パネルとを備え、
前記第１の主パネル及び前記第２の主パネルは、前記内フレームの互いに対向する側面を形成するために前記第１の主パネル及び前記第２の主パネルが中央パネルに対して折り曲げ可能であるように前記中央パネルの互いに対向する縁部に結合されており、
当該内フレームブランクは、当該内フレームブランクが折り曲げられて前記内フレームを形成するときに、前記内フレームの中からタバコ産業製品を取り出すための抜き取り開口部を画定している開口を少なくとも前記中央パネルに備える、内フレームブランク。
【請求項２】
前記開口が、前記中央パネルから前記第１の主パネル及び前記第２の主パネルの少なくとも一方へ延びている、請求項１に記載の内フレームブランク。
【請求項３】
当該内フレームブランクは、前記開口を画定している閉形状を備える、請求項２に記載の内フレームブランク。
【請求項４】
当該内フレームブランクが折り曲げられて前記内フレームが形成されるときに、側面パネルが前記内フレームの前記互いに対向する側面間に延びるために折り曲げ可能であるように前記第１の主パネル又は前記第２の主パネルの縁部に取り付けられている、少なくとも１つの前記側面パネルをさらに備える、請求項１〜３のいずれか一項に記載の内フレームブランク。
【請求項５】
当該内フレームブランクが折り曲げられて前記内フレームを形成するときに、補強タブが少なくとも部分的に前記中央パネルに重なるように前記補強タブが前記側面パネルから延びている、請求項４に記載の内フレームブランク。
【請求項６】
前記第１の主パネル及び前記第２の主パネルの一方の縁部に結合している端面パネルをさらに備え、
前記端面パネルが前記中央パネルと向かい合っている、請求項１〜５のいずれか一項に記載の内フレームブランク。
【請求項７】
前記中央パネルの前記互いに対向する縁部がミシン目を備える、請求項１〜５のいずれか一項に記載の内フレームブランク。
【請求項８】
請求項１〜７のいずれか一項に記載の内フレームブランクを折り曲げることによって形成されている、タバコ産業製品のパック用の内フレーム。
【請求項９】
タバコ産業製品の包装束であって、タバコ産業製品の組と、請求項１〜７のいずれか一項に記載の前記内フレームブランクを前記タバコ産業製品の組のまわりに折り曲げることによって形成された内フレームと、前記内フレーム及び前記タバコ産業製品を取り囲む被覆体とを備える、包装束。
【請求項１０】
前記被覆体が、前記抜き取り開口部と整列されるアクセスフラップを備える、請求項９に記載の包装束。
【請求項１１】
前記アクセスフラップに付けられたラベルをさらに備え、前記ラベルが、前記アクセスフラップが再封止可能になるように粘着剤を備える、請求項１０に記載の包装束。
【請求項１２】
前記ラベルが前記アクセスフラップを覆い、前記アクセスフラップの外側の被覆体の少なくとも一部の上に重なる、請求項１１に記載の包装束。
【請求項１３】
前記粘着剤が感圧粘着剤である、請求項１１又は１２に記載の包装束。
【請求項１４】
前記被覆体が前記内フレーム及び前記タバコ産業製品のまわりに封止可能に巻かれている、請求項９〜１３のいずれか一項に記載の包装束。
【請求項１５】
前記被覆体がフィン封止部を備える、請求項１４に記載の包装束。
【請求項１６】
前記包装束の内部が、前記包装束の外部に対して圧力差がある、請求項１４又は請求項１５に記載の包装束。
【請求項１７】
前記圧力差が、前記包装束の中に少なくとも部分真空を含む、請求項１６に記載の包装束。
【請求項１８】
前記包装束の中から空気を抜くための、又は前記包装束の中にガスを挿入するための一方向弁をさらに備える、請求項１６又は１７に記載の包装束。
【請求項１９】
前記内フレームが、前記一方向弁と整列される弁開口をさらに備える、請求項１８に記載の包装束。
【請求項２０】
前記内フレームブランクの前記開口が、前記内フレームの縁部を越えて延びている前記内フレームの抜き取り開口部を画定しており、前記縁部が前記内フレームの折り目を備える、請求項９〜１９のいずれか一項に記載の包装束。
【請求項２１】
タバコ産業製品の組と、前記タバコ産業製品のまわりに折り曲げられた内フレームと、前記内フレーム及びタバコ産業製品を取り囲む被覆体とを備える、タバコ産業製品の包装束であって、
前記内フレームは第１の主パネル及び第２の主パネルを備え、前記第１の主パネル及び前記第２の主パネルは、前記内フレームの互いに対向する側面を形成するために前記第１の主パネル及び前記第２の主パネルが中央パネルに対して折り曲げられるように前記中央パネルの互いに対向する縁部に結合されており、さらに前記内フレームは、前記内フレームの中からタバコ産業製品を取り出すための抜き取り開口部を画定している開口を少なくとも前記中央パネルにさらに備え、前記包装束は、前記内フレームの抜き取り開口部を覆うために前記被覆体に粘着された粘着ラベルをさらに備える、包装束。
【請求項２２】
タバコ産業製品のパックであって、請求項９〜２１のいずれか一項に記載の包装束と、前記包装束を受け入れるように構成されたパック外箱とを備えるパック。
【請求項２３】
前記パック外箱はヒンジ蓋付きパック外箱を備え、前記ヒンジ蓋付きパック外箱は平行６面体の基部を有し、前記包装束は、前記包装束の一部分が前記基部から突出するように基部に受け入れられ、平行６面体の蓋が、前記基部から突出する前記包装束の部分を覆うように配置されている、請求項２２に記載のパック。
【発明の詳細な説明】
【技術分野】
【０００１】
本発明は、タバコ産業製品のパック用の内フレームブランクと、内フレームブランクから形成された内フレームを含むタバコ産業製品の包装された束（以下「包装束」という）と、内フレームブランクから形成された内フレームを含むタバコ産業製品のパックとに関する。
【背景技術】
【０００２】
一部の紙巻タバコパックは、紙巻タバコの組を少なくとも部分的に取り囲むフレームと、フレーム及び紙巻タバコを包む被覆体とからなる包装束を含む。被覆体には、フレームの開口部を通して紙巻タバコにアクセスするための取り外し可能又は開封可能な部分がある。
【発明の概要】
【０００３】
本発明の第１の態様によれば、タバコ産業製品のパック用の内フレームブランクが提供され、この内フレームブランクは、タバコ産業製品の組を保持する内フレームを形成するために折り曲げ可能であり、内フレームブランクは第１の主パネル及び第２の主パネルを備え、第１の主パネル及び第２の主パネルは、内フレームの互いに対向する側面を形成するために第１及び第２の主パネルが中央パネルに対して折り曲げ可能であるように中央パネルの互いに対向する縁部に結合されており、さらに内フレームブランクは、内フレームブランクが折り曲げられて内フレームを形成するときに、内フレームの中からタバコ産業製品を取り出すための抜き取り開口部を画定する開口を少なくとも中央パネルにさらに備える。
【０００４】
開口は、中央パネルから第１及び第２の主パネルの少なくとも一方へ延びることができる。
【０００５】
いくつかの例では、内フレームブランクは、開口を画定する閉形状を備えることができる。すなわち、開口が内フレームブランクの縁部を広げないように、開口はすべての辺が内フレームブランクの材料で囲まれている。
【０００６】
内フレームブランクは、内フレームブランクが折り曲げられて内フレームが形成されるときに、側面パネルが内フレームの互いに対向する側面間に延びるために折り曲げ可能であるように第１の主パネル又は第２の主パネルの縁部に取り付けられている、少なくとも１つの側面パネルをさらに備えることができる。
【０００７】
内フレームブランクが折り曲げられて内フレームを形成するときに、補強タブが側面パネルから、この補強タブが少なくとも部分的に中央パネルに重なるように延びることができる。
【０００８】
内フレームブランクは、第１の主パネル及び第２の主パネルの一方の縁部に結合した端面パネルをさらに備えることができ、この端面パネルは、中央パネルと向かい合っている。
【０００９】
中央パネルの互いに対向する縁部は、ミシン目を備えることができる。
【００１０】
本発明の別の態様によれば、タバコ産業製品のパック用の内フレームもまた提供され、この内フレームは、上述の内フレームブランクを折り曲げることによって形成されている。
【００１１】
本発明の別の態様によれば、タバコ産業製品の包装束もまた提供され、この包装束は、タバコ産業製品の組と、上述の内フレームブランクをタバコ産業製品の組のまわりに折り曲げることによって形成された内フレームと、内フレーム及びタバコ産業製品を取り囲む被覆体とを備える。
【００１２】
本発明のさらなる態様によれば、タバコ産業製品の包装束もまた提供され、この包装束は、タバコ産業製品の組と、タバコ産業製品のまわりに折り曲げられた内フレームと、内フレーム及びタバコ産業製品を取り囲む被覆体とを備え、内フレームは第１の主パネル及び第２の主パネルを備え、第１の主パネル及び第２の主パネルは、内フレームの互いに対向する側面を形成するために第１及び第２の主パネルが中央パネルに対して折り曲げられるように中央パネルの互いに対向する縁部に結合されており、さらに内フレームは、内フレームの中からタバコ産業製品を取り出すための抜き取り開口部を画定する開口を、少なくとも中央パネルにさらに備え、包装束は、内フレームの抜き取り開口部を覆うために被覆体に粘着された粘着ラベルをさらに備える。
【００１３】
被覆体は、抜き取り開口部と整列されるアクセスフラップを備えることができる。
【００１４】
包装束は、アクセスフラップに付けられたラベルをさらに備えることができ、ラベルは、アクセスフラップが再封止可能になるように粘着剤を備える。
【００１５】
ラベルはアクセスフラップを覆い、アクセスフラップの外側の被覆体の少なくとも一部の上に重なることができる。
【００１６】
粘着剤は、感圧粘着剤とすることができる。
【００１７】
被覆体は、内フレーム及びタバコ産業製品のまわりに封止可能に巻くことができる。
【００１８】
被覆体は、フィン封止部を備えることができる。
【００１９】
包装束の内部は、包装束の外部に対する圧力差を備えることができる。
【００２０】
一例では、圧力差は、包装束の中に少なくとも部分真空を含み得る。
【００２１】
包装束は、包装束の中から空気を抜くための、又は包装束の中にガスを挿入するための一方向弁をさらに備えることができる。
【００２２】
内フレームは、一方向弁と整列される弁開口をさらに備えることができる。
【００２３】
内フレームブランクの開口は、内フレームの縁部を越えて延びる内フレームの抜き取り開口部を画定することができ、縁部は、内フレームの折り目を備えることができる。
【００２４】
本発明のさらなる態様によれば、タバコ産業製品のパックもまた提供され、このパックは、上述の包装束と、包装束を受け入れるように構成されたパック外箱とを備える。
【００２５】
パック外箱は、平行６面体基部を有するヒンジ式蓋付きパック外箱を含むことができ、包装束は、包装束の一部分が基部から突出するように基部に受け入れられ、平行６面体蓋は、基部から突出する包装束の部分を覆うように構成されている。
【００２６】
次に本発明の実施形態について、単に例示的に、添付の図面を参照して説明する。
【図面の簡単な説明】
【００２７】
【図１】タバコ産業パックの内フレームの内フレームブランクの図である。
【図２】タバコ産業製品の組のまわりで折り返されている図１のブランクの図である。
【図３】タバコ産業製品の組を収納する、図１のブランクから形成された内フレームの図である。
【図４】図３の内フレーム及びタバコ産業製品を含むタバコ産業製品の包装束の図である。
【図５】図４の包装束用の被覆体の図である。
【図６】図４の包装束用の代替の被覆体の図である。
【図７】開封された後の包装束の図である。
【図８】タバコ産業パックの内フレームの代替ブランクの図である。
【図９】図４又は図７の包装束を収容するヒンジ式蓋付きパックの図である。
【発明を実施するための形態】
【００２８】
図１に示されるように、内フレームブランク１は、第１の主パネル２、第２の主パネル３、及び中央パネル４を備える。第１の主パネル２は、中央パネル４の第１の縁部５に結合され、第２の主パネル３は中央パネル４の第２の縁部６に結合されている。中央パネル４の第１の縁部５と第２の縁部６は、互いに向かい合っている。このような態様において、内フレーム１を組み立てるとき、後でさらに説明されるように、第１の主パネル２及び第２の主パネル３は折り曲げられて、組み立てられた内フレームの側面を形成し、中央パネル４は、組み立てられた内フレームの端面を形成する。
【００２９】
第１の主パネル２及び第２の主パネル３は、第１の縁部５及び第２の縁部６を形成する折り目に沿って中央パネル４と結合している。この折り目は、例えばスリット点線を入れる、すなわちミシン目の線を設けて内フレームブランク１の材料を弱くすることにより形成することができる。
【００３０】
一例では、内フレームブランク１は厚紙材料で作られる。他の例では、内フレームブランク１はプラスチック材料で作られる。さらに別の例では、内フレームブランクは紙材料で作られる。いくつかの例では、内フレームブランク１は積層材料（例えばプラスチックコーティング付き厚紙）で作られる。
【００３１】
図１にも示されるように、内フレームブランク１は開口７を含む。開口７は中央パネル４に形成され、それにより、紙巻タバコは組み立てられた内フレームから取り出すことができる（後で明らかとなるであろう）。この例では、開口７は、中央パネル４から第１の縁部５を越えて第１の主パネル２の中へ延びる。開口７は、追加的に又は別法として、他の実施形態では中央パネル４から第２の縁部６を越えて第２の主パネル３の中へ延びる。
【００３２】
図１に示されるように、開口７は閉形状である。すなわち、開口７はすべての縁部において取り囲まれている。この例の開口７は、中央パネル４及び第１の主パネル２に形成され、すべての縁部において取り囲まれている、閉形状である。
【００３３】
図１の内フレームブランク１はまた、内フレームを形成するためのさらなるパネルも含む。特に、第１の端面パネル８が第１の主パネル２の、中央パネル４の反対側の縁部９から延び、第２の端面パネル１０が第２の主パネル３の、中央パネル４の反対側の縁部１１から延びる。内フレームが組み立てられると、第１の端面パネル８と第２の端面パネル１０は互いに重なり合って、中央パネル４と向かい合う内フレームの端壁を形成する。
【００３４】
さらに、図１の内フレームブランク１は、組み立てられた内フレームの側壁を形成する側面パネルを含む。第１の対をなす側面パネル１２は、第１の縁部５及び中央パネル４と隣り合い直角をなす第１の主パネル２の縁部１４から延びる。同様に、第２の対をなす側面パネル１３は、第２の縁部６及び中央パネル４と隣り合い直角をなす第２の主パネル３の縁部１５から延びる。内フレームが組み立てられると、側面パネル１２、１３は互いに重なり合って、内フレームの互いに対向する側壁を形成する。
【００３５】
加えて、図１の内フレームブランク１は、補強タブを含む。特に、図１に示されるように、第１の対をなす補強タブ１６が、第２の端面パネル１０に隣り合う第２の対をなす側面パネル１３の端部１７から延びる。組み立てられた内フレームでは、第１の対をなす補強タブ１６が第１の端面パネル８及び／又は第２の端面パネル１０と重なり合う。
【００３６】
第２の対をなす補強タブ１８が、中央パネル４に隣り合う、第２の対をなす側面パネル１３の対向する端部１９から延びる。組み立てられた内フレームでは、この第２の対をなす補強タブ１８は、中央パネル４の上に重なる。第２の対をなす補強タブ１８は、内フレームが組み立てられたときに開口７を越えて延びないように制限された長さである。
【００３７】
第１及び第２の対をなす補強タブ１６、１８は、組み立てられた内フレームに剛性及び強度を与える助けになる。
【００３８】
図２は、タバコ産業製品の組２０のまわりで内フレームブランクを組み立てる方法の一部を示す。この例では、タバコ産業製品２０は紙巻タバコ２１であり、各紙巻タバコ２１の一端にフィルター２２が付いている。図２に示されるように、紙巻タバコの組２０は、紙巻タバコ２１のフィルター２２を中央パネル４の近くに、又はそれに当てて配置することによって内フレームブランク１に包まれ、第１のパネル２及び第２のパネル３が、紙巻タバコの組２０の側面に対して折り曲げられる。これに続いて、端面パネル８、１０、側面パネル１２、１３、及び補強タブ１６、１８を折り曲げて、組み立てられた内フレームの端面及び側面を形成することができる。端面パネル８、１０、側面パネル１２、１３、及び補強タブ１６、１８は、任意選択で互いに、及び／又は中央パネル４に、例えば接着剤又は熱封止を使用して結合することができる。
【００３９】
図３は、紙巻タバコの組２０を収容する組み立てられた内フレーム２３を示し、この紙巻タバコは、内フレームブランク１の開口７によって形成された抜き取り開口部２４を介して抜き取ることができる（図１及び図２参照）。図示のように、紙巻タバコ２１のいくつかのフィルター２２は、内フレーム２３から取り出すために、抜き取り開口部２４を通してつかむことができる。いくつかの紙巻タバコ２１が取り出されると、他のものが、取り出しのために抜き取り開口部２４と位置が合うように動くことができる。
【００４０】
図３に示されるように、組み立てられた内フレーム２３は、内フレームブランク１の第１の主パネル２（図１及び図２参照）から形成されている前面２５と、内フレームブランク１の第２の主パネル３（図１及び図２参照）から形成されている後面（図示せず）と、内フレームブランク１の中央パネル４（図１及び図２参照）から形成されている端面２６とを備える。
【００４１】
この例の抜き取り開口部２４は、内フレームブランク１の開口７が中央パネル４から第１の主パネル２の中へ延びたので、端面２６から前面２５の中へ延びる。この例では、図示のように、抜き取り開口部２４は、組み立てられた内フレーム２３の前縁部２８を越えて延びる。しかし、代替例では、開口７は中央パネル４だけに存在し、したがって抜き取り開口部２４は、組み立てられた内フレームのただ単に端面２６に形成される。紙巻タバコは、このような抜き取り開口部を通して縦に抜き取ることができる。加えて、内フレームブランク１の開口７は、第２の主パネル３の中へさらに延びることができ、この場合には、抜き取り開口部２４は、組み立てられた内フレーム２３の後面（図示せず）に延びることになる。
【００４２】
さらに、内フレーム２３は、互いに対向する側面２７を有し（一方だけ図示）、これらの側面は、折り曲げられて互いに重なり合う内フレームブランク１の第１及び第２の対をなす側面パネル１２、１３から形成されている（図１及び図参照）。この例では、第１の対をなす側面パネル１２は、折り曲げられて内フレーム２３の側面２７の外側を形成するが、第２の対をなす側面パネル１３が別に折り曲げられて内フレーム２３の側面２７の外側を形成できることが理解されよう。各側面２７の第１の側面パネル１２と第２の側面パネル１３は、例えば接着剤又は熱封止を使用して結合することができる。
【００４３】
また、内フレーム２３は、端面３６と向かい合う下面（図示せず）を有する。下面は、内フレームブランク１の第１の端面パネル８及び第２の端面パネル１０（図１及び図２参照）から形成される。この例では、第１の端面パネル８は、折り曲げられて内フレーム２３の下面の外側を形成するが、第２の端面パネル１０が別に折り曲げられて内フレーム２３の下面の外側を形成できることが理解されよう。第１の端面パネル８と第２の端面パネル１０は折り曲げられて互いに重なり合い、例えば接着剤又は熱封止を使用して結合することができる。
【００４４】
さらに、第１の補強タブ１６（図３では見えないので図１参照）が折り曲げられ、内フレーム２３の下面を形成する第１の端面パネル８及び第２の端面パネル１０の少なくとも一方に押し当てられる。第１の補強タブ１６は、例えば接着剤又は熱封止によって、第１の端面パネル８及び／又は第２の端面パネル１０と結合することができる。
【００４５】
加えて、第２の補強タブ１８（図３では見えないので図１参照）が折り曲げられて、組み立てられた内フレームの端面２６の基部をなすことができる。第２の補強タブ１８は、例えば接着剤又は熱封止によって、端面２６を形成する中央パネル４と結合することができる。第１の補強タブ１６及び第２の補強タブ１８は、組み立てられた内フレーム２３の構造的剛性及び強度を増大する助けになる。
【００４６】
図３で明らかなように、紙巻タバコの組２０は内フレーム２３によって、抜き取り開口部２４を除いて全体的に取り囲まれている。すなわち、説明したように、内フレーム２３は、紙巻タバコの組２０をすべての面で少なくとも部分的に取り囲む６つの面を有する。
【００４７】
前に説明したように、内フレームブランク１の開口７（図１参照）は閉形状である。このように、組み立てられた内フレーム２３は、第１の主パネル２、第２の主パネル３及び中央パネル４が一体化して互いに取り付けられるので、抜き取り開口部２４の領域に良好な構造的剛性及び強度を有する。
【００４８】
さらに、組み立てられた内フレーム２３の互いに対向する側面２７もまた、これらが説明したように一緒に結合された場合に特に、構造的剛性を増大する助けになる。さらには、第１の補強タブ１６は、第１の補強タブ１６が端面パネル８、１０に結合された場合に特に、下面の領域の内フレーム２３の構造的剛性及び強度を増大する助けになる。内フレーム２３の端面２６を形成する中央パネル４の下にある第２の補強タブ１８もまた、補強タブがなければ内フレーム２３の弱い部分になり得る抜き取り開口部２４まわりで特に、内フレーム２３の構造的剛性及び強度を増大する助けになる。第２の補強タブ１８を中央パネル４に、例えば接着剤によって結合すると、抜き取り開口部２４の領域内の内フレーム２３の構造的剛性及び強度を増大するさらなる助けになる。
【００４９】
図４に示されるように、組み立てられた内フレーム（２３、図３参照）及びその中の紙巻タバコの組（２０、図３参照）は、被覆体２９に取り囲まれて包装束３０を形成することができる。
【００５０】
被覆体２９は、可撓性シート材料、例えば可撓性ポリマー包みから形成される。被覆体２９は、箔、金属化ポリマー接着剤、及び他のこのような包装体材料を含むこともできる積層材料とすることができる。好ましい実施形態では、被覆体２９は、３つの層（延伸ポリプロピレンの外層及び、例えばアルミニウム箔である金属箔の中間層）を有する積層物を含む。別の例では、被覆体２９は、延伸ポリプロピレンとしてもよい単層のポリプロピレンを含む。被覆体２９には、例えばインクの印刷をすることができる。
【００５１】
図４に示されるように、被覆体２９は、フィン封止部３１によって内フレーム２３及び紙巻タバコの組２０のまわりにしっかり締め付けることができる。この例では、側面フィン封止部３１は、内フレーム２３の互いに対向する側面２７のそれぞれに隣り合って形成され（図３参照）、さらなるフィン封止部（図示せず）が内フレーム２３の後面を横切って、側面フィン封止部３１に直角に形成される。
【００５２】
フィン封止部３１は熱を用いて、例えば加熱板を使用して形成することができ、この加熱板は、被覆体２９の複数の部分を一緒に加圧してフィン封止部３１を形成する。或いは、誘導封止又は超音波封止を使用してフィン封止部３１を形成することができる。これらの封止処理のそれぞれで、被覆体２９の一部分を別の部分と結合してフィン封止部３１を形成する。
【００５３】
代替例では、被覆体２９は、内フレーム２３及び紙巻タバコの組２０のまわりに熱でしっかり締め付けることができる。この場合には、被覆体２９の端部は、内フレーム２３の面に当たる重なり合うフラップになるように形成することができ、このフラップは次に、熱封止によって一緒に結合するために加熱板によって互いに加圧される。加熱板は別法として、被覆体２９の材料を加熱して各フラップを一緒に結合する誘導又は超音波封止機とすることができる。
【００５４】
さらなる代替例では、被覆体２９は、接着剤を使用して内フレーム２３及び紙巻タバコの組２０のまわりにしっかり締め付けることができる。この場合、被覆体２９の端部は重なり合うフラップになるように形成することができ、このフラップは、内フレーム２３の面に押し当てられ互いに接着され、及び／又は内フレーム２３に接着される。
【００５５】
図５の例示的な被覆体２９は、内フレーム２３及び紙巻タバコの組２０のまわりを包んで、図４の包装束３０を形成するためのものである。被覆体２９は、アクセスフラップ３４を画定する線３２を含み、アクセスフラップは、包装束３０（図４参照）が開封されるときに開口部を形成する。この例では、線３２は、アクセスフラップ３４が被覆体２９に付いたままになるようにＵ形になっている。代替例では、線３２は閉形状を画定し、アクセスフラップ３４は被覆体２９から取り外すことができる。線３２は貫通切り込みとすることができ、或いは弱化線、例えばスリット点線又はミシン目とすることができる。弱化線は、例えば機械カッタ又はレーザ刻み機によって形成することができる。
【００５６】
被覆体２９はまた、感圧粘着剤を使用して被覆体２９の外面に粘着される再封止ラベル３３を含む。再封止ラベル３３は、線３２によって画定されたアクセスフラップ３４を覆って接着される。再封止ラベル３３はアクセスフラップ３４よりも大きく、それにより、再封止ラベル３３の縁部がアクセスフラップ３４の外側の被覆体２９の一部分に結合される。再封止ラベル３３は、粘着ラベル３３を引っ張るためのプルタブ３５を含み得る。プルタブ３５は粘着剤がなくてもよく、或いは、プルタブ３５の粘着剤がマスキングされるか無効にされてもよい。このようにして、再封止ラベル３３は被覆体２９の再封止可能開口部を実現する。
【００５７】
再封止ラベル３３は、可撓性シート材料（例えば、ポリプロピレン又は積層物）で作ることができる。再封止ラベル３３は、箔層及び／又は印刷を含み得る。
【００５８】
図７に示されるように、プルタブ３５を使用して再封止可能ラベル３３が持ち上げられると、再封止可能ラベルは包装束３０から剥がれ、アクセスフラップ３４を持ち上げて、内フレーム２３の抜き取り開口部２４から紙巻タバコ２１を露出させる。感圧粘着剤により、再封止ラベル３３及びアクセスフラップ３４を元通りに付けることが可能になって、包装束３０が再封止される。
【００５９】
図６に示された被覆体２９の代替例では、線３２は、プルタブ３５の方に向いているＵ形の貫通切り込みであり、さらなる弱化線３６が線３２の端部から延びている。このようにして、プルタブ３５が引っ張られると線３２が分離し、次に被覆体２９の材料が弱化線３６に沿って引き裂かれて、図７に示されるアクセスフラップ３４が形成される。
【００６０】
Ｕ形線３２は全部が内フレーム２３の前面２５にあり、弱化線３６は内フレーム２３の前縁部２８を越えて延びるのが好ましい（図３参照）。この構成では、包装束３０が最初に開封される前の線３２の封止の改善を再封止ラベル３３によって行うことができる。
【００６１】
いくつかの例では、再封止ラベル３３は、感圧粘着剤だけを使用して被覆体２９に粘着させる。このようにして、再封止ラベル３３は被覆体２９に再度付けることができ、アクセスフラップ３４の領域内では、感圧粘着剤は、包装束３０の開封時にアクセスフラップ３４を持ち上げるのに十分な付着力をもたらす。別の例では、恒久接着剤の領域が再封止ラベル３３とアクセスフラップ３４の間に設けられ、再封止ラベル３３の残りの部分は感圧粘着剤を備える。これにより、包装束３０を開封するためにプルタブ３５が引っ張られるときに、アクセスフラップ３４が持ち上げられることを保証することができる。
【００６２】
加えて、又は別法として、再封止ラベル３３の後縁部３７（図７参照）は、恒久接着剤を使用して被覆体２９に接着することができる。これにより、再封止ラベル３３が包装束３０から取り外されることが防止される。
【００６３】
本発明の様々な実施形態では、紙巻タバコ２１の香料及び新鮮さを保つ助けにするために、圧力差が包装束３０の内部と外部の間に形成される。好ましい一例では、圧力差は部分真空であり、包装束３０から少なくとも一部の空気を排気することによって作り出すことができる。別の例では、圧力差は包装束３０の中の正圧であり、包装束３０の中にガスを圧送することによって作り出すことができる。正圧とは、大気圧よりも高い圧力、すなわち標準周囲温度（すなわち摂氏２５度）において約１バールよりも高い圧力を意味する。
【００６４】
被覆体２９は、内フレーム２３及び紙巻タバコの組２０のまわりにしっかり締め付けられて、包装束３０が開封されるまで圧力差が維持されることを可能にすることが好ましい。この場合には、図４を参照して説明したフィン封止部３１が好ましい。被覆体２９は、空気を通さないことが好ましい。包装束３０は気密封止することができる。
【００６５】
包装束３０の中の部分真空は、包装束３０の中から空気を排気することによって得ることができる。この排気は、封止部の最後を形成する前に部分包装束３０を減圧環境に曝すことによって行うことができる。同様に、正圧は、封止部の最後を形成する前に部分包装束３０を増圧環境に曝すことによって得ることができる。
【００６６】
或いは、図７に示されるように、包装束３０は一方向弁３８を含むことができ、この弁を通して空気を、被覆体２９が内フレーム３０及び紙巻タバコの組２０のまわりに巻かれ、しっかり締め付けられた後に、除去又は挿入することができる。一方向弁３８は、被覆体２９を貫通する孔を覆って接着することができ、それにより、被覆体３０の孔及び一方向弁３８を通して空気を包装束３０から除去する、又は包装束の中に挿入することができる。一方向弁３８を通して空気を除去又は挿入するには、吸引パイプ、真空チャンバ又はポンプを使用することができる。
【００６７】
様々な度合いで空気を包装束３０から排気できるが、包装束３０の中の圧力は低減されることが理解されよう。空気を包装束３０から排気できるだけでなく、その時点に存在するガスがもしあれば排気できることもまた理解されよう。
【００６８】
様々な例では、包装束３０の中の部分真空は、標準周囲温度（すなわち摂氏２５度）において圧力が１バール未満である。
【００６９】
いくつかの例では、標準周囲温度における包装束３０の中の部分真空は５００ミリバール未満であり、例えば４０〜３００ミリバールの間である。他の実施形態では、標準周囲温度における包装束３０の中の部分真空は１５０ミリバール未満であり、好ましくは約８０ミリバールである。しかし、包装束３０の中の部分真空は、１バール未満の任意の値としてもよいことが理解されよう。
【００７０】
図７に示されたような、包装束３０が一方向弁３８を有する例では、内フレーム２３は弁開口３９を備えることができる。特に、図８に示されるように、内フレームブランク１の第１の主パネル２は、組み立てられた内フレーム２３のまわりに被覆体２９が巻かれた後に包装束３０の弁３８と整列される弁開口３９を含むことができる（図７参照）。弁開口３９は、吸引が包装束３０に加えられたときに、空気が包装束３０の中の内フレーム２３の内部から一方向弁３８を通してより自由に動くことを可能にする。
【００７１】
一方向弁３８は、包装束３０の別の面、例えば後面又は側面に配置することができ、その場合には弁開口３９を内フレームブランク１の対応する位置に設けることができることが理解されよう。
【００７２】
上述のように包装束３０が部分真空を備える場合、圧力差によって、包装束３０の内容物、特に内フレーム２３及び紙巻タバコの組２０に作用する圧縮力が作り出される。抜き取り開口部２４を内フレームブランク１の中の閉形状として形成することによって作り出された、抜き取り開口部２４の領域における内フレーム２３の追加の構造的剛性及び強度は、この圧縮力に耐えて紙巻タバコの組２０が押しつぶされることを防ぐ助けになる。加えて、側面パネル１２、１３、端面パネル８、１０及び補強タブ１６、１８もまた、内フレーム２３の構造的剛性及び強度を増大させ、したがって、低圧によって作り出される圧縮力に耐える助けになる。
【００７３】
図４及び図７に示された包装束３０は、タバコ産業製品の独立型包装体とすることができる。すなわち、包装束３０は、さらなる包装体がなくても配送及び販売することができる。
【００７４】
別法として、図９に示されるように、包装束３０は、ヒンジ式蓋付きパック外箱４１に入れることができる。ヒンジ式蓋付きパック外箱４１は、平行６面体基部４２及び平行６面体蓋４３を有する。包装束３０は基部４２に受け入れられ、基部４２の開放端４４から突出する。蓋４３は、ヒンジ線４５に沿って基部４２にヒンジ式で取り付けられており、旋回して包装束３０の突出部を覆うことができる。再封止ラベル３３には包装束３０の突出部においてアクセスすることができ、それにより、蓋４３を開けた後にユーザは、包装束３０を開封して紙巻タバコを抜き取ることができる。
【００７５】
上述の包装体、特にヒンジ式蓋付きパック４１、包装束３０、内フレーム２３及び被覆体２９は、紙巻タバコに関して説明されている。しかし、この包装体は別態様として、任意の喫煙品又はタバコ産業製品を包装するために使用できることが理解されよう。
【００７６】
本書で使用される場合、用語「タバコ産業製品」は、喫煙品、例えば、紙巻タバコ、シガリロ、葉巻タバコ、パイプ用又は手巻タバコ用のタバコのような燃焼式喫煙品（タバコ自体、タバコ派生物、膨張タバコ、再生タバコ、タバコ代替品、又は他の喫煙材に基づくか否かに拘わらない）、ｅシガレット（ｅ−ｃｉｇａｒｅｔｔｅ）のような電子タバコ、タバコ加熱製品のような、燃焼を伴わずに基体材料から成分を放散させる加熱装置、複数の基体材料の組合せからエアロゾルを生成する複合システム（例えば液体、ゲル又は固体の基体を含む複合システム）を含むものとして理解すべきである。
【００７７】
一実施形態では、タバコ産業製品は、紙巻タバコ、シガリロ及び葉巻タバコからなる群から選択された燃焼用の喫煙品である。
【００７８】
一実施形態では、タバコ産業製品は非燃焼式の喫煙品である。
【００７９】
一実施形態では、タバコ産業製品は、基板材料を燃焼させないが加熱することによって化合物を放出する加熱デバイスである。その材料は、例えばタバコ又は他の非タバコ製品とすることができ、これらはニコチンを含むことも含まないこともある。一実施形態では、加熱デバイスはタバコ加熱デバイスである。
【００８０】
別の実施形態では、タバコ産業製品は、基板材料の組み合わせを燃焼させないが加熱することによってエアロゾルを生成するハイブリッドシステムである。基板材料は、例えば、ニコチンを含むことも含まないこともある固体、液体又はゲルを含み得る。一実施形態では、ハイブリッドシステムは、液体基板又はゲル基板及び固体基板を含む。固体基板は、例えばタバコ又は他の非タバコ製品とすることができ、これらはニコチンを含むことも含まないこともある。一実施形態では、ハイブリッドシステムは、液体基板又はゲル基板及びタバコを含む。
【００８１】
上述の包装体、特にヒンジ式蓋付きパック４１、包装束３０、内フレーム２３及び被覆体２９は、タバコ産業製品（例えば紙巻タバコ）に関して説明されている。しかし、この包装体は別態様として、非タバコ産業製品を包装するために使用できることが理解されよう。例えば、包装体は別態様として、物品又は製品などの任意の消費者製品を包装するのに使用することができる。諸例では、包装体は、食品、電子機器、又は、例えばティッシュなどの他の消費財を包装するのに使用される。
【００８２】
様々な問題に対処し、技術を進歩させるために、本開示の全体は例示によって、特許請求された本発明を実践できる、且つ優れた内フレームブランク、内フレーム、包装束、及びタバコ産業製品のパックを提供できる、様々な実施形態を示す。本開示の利点及び特徴は、諸実施形態の単なる代表例であり、網羅的及び／又は排他的なものではない。これらの利点及び特徴は、特許請求される特徴を理解することを助け教示するためにだけ提示されている。本開示の利点、実施形態、例、機能、特徴、構造、及び／又は他の態様は、特許請求の範囲によって定義されるような本開示に対する限定、又は他特許請求の範囲の等価物に対する限定と解釈されるべきものではないこと、並びに、本開示の範囲及び／又は趣旨から逸脱することなく、他の実施形態を利用することができ、また修正を加えることができることを理解されたい。様々な実施形態は、開示された要素、構成要素、特徴、部材、ステップ、手段などの様々な組み合わせを適切に備えるか、これらからなるか、これらから本質的になることができる。加えて、本開示は、現在は特許請求されていない、しかし将来は特許請求される可能性がある、他の発明を含む。
【図１】
2020505278.tif 000003
【図２】
2020505278.tif 000004
【図３】
2020505278.tif 000005
【図４】
2020505278.tif 000006
【図５】
2020505278.tif 000007
【図６】
2020505278.tif 000008
【図７】
2020505278.tif 000009
【図８】
2020505278.tif 000010
【図９】
2020505278.tif 000011
【国際調査報告】
2020505278.tif 000012
2020505278.tif 000013